【手続補正書】
【提出日】平成23年1月19日(2011.1.19)
【手続補正１】
【補正対象書類名】特許請求の範囲
【補正対象項目名】全文
【補正方法】変更
【補正の内容】
【特許請求の範囲】
【請求項１】
被写体像を撮影する撮像手段と、
画像データを記録する記録手段と、
上記撮像手段で得た各々の画像データに対して撮影時の状況に応じた属性情報を付加して上記記録手段に記録する記録制御手段と、
上記記録手段に記録された複数の画像データの各々に付加されている属性情報に基づいて、これら複数の画像データに対してデータ量を削減する削減処理を施す順序と、各画像データに施す削減処理の種類の両方を決定する決定手段と、
上記記録手段に記録された複数の画像データに対する削減処理の必要性を判断する判断手段と、
上記判断手段により削減処理が必要であると判断される毎に、上記決定手段で決定した順序に従って上記決定手段で決定した種類の削減処理を施していく削減制御手段と
を具備したことを特徴とする撮像装置。
【請求項２】
上記決定手段は、画像データに対する少なくとも部分的な削除に関する度合が異なる複数種類の削減処理の中から各画像データに施す削減処理を選択することを特徴とする請求項１記載の撮像装置。
【請求項３】
上記記録制御手段は、上記撮像手段で得た画像データを撮影時の状況に応じた複数の属性情報を付加して上記記録手段に記録し、
上記決定手段は、上記記録手段に記録された複数の画像データの各々に付加されている複数の属性情報に基づいて、これら複数の画像データに対してデータ量を削減する削減処理を施す順序と、各画像データに施す削減処理の種類の両方を決定する
ことを特徴とする請求項２記載の撮像装置。
【請求項４】
上記複数種類の削減処理は、画像データに対する、圧縮率を変えてのデータ圧縮、画像サイズの変更、空間周波数の高周波成分の除去、画像データ自体の削除、及び上記記録手段以外の媒体への転送のうち、少なくとも２つを含むことを特徴とする請求項３載の撮像装置。
【請求項５】
上記記録制御手段が画像データに付加する複数の属性情報は、記録する画像データの構成画素数、画質、感度、手振れ量、画像中から検出される顔の大きさのうち、少なくとも２つを含むことを特徴とする請求項４記載の撮像装置。
【請求項６】
上記決定手段は、複数の属性情報の１つに上記画像データの感度が含まれる場合に、所定の感度以上の画像データに対して空間周波数の高周波成分の除去を削減処理として選択することを特徴とする請求項５記載の撮像装置。
【請求項７】
上記決定手段は、上記記録手段以外の媒体への転送の可否を判断し、可であると判断した場合に上記記録手段以外の媒体への転送を削減処理の選択肢の１つに加えることを特徴とする請求項４記載の撮像装置。
【請求項８】
上記記録制御手段は、撮影時の状況に応じた複数の属性情報に加えて、上記決定手段で決定する順位を示す順位情報、または削減処理の種類を示す削減情報を属性情報として画像データに付加して記録すること特徴とする請求項１乃至７のいずれかに記載の撮像装置。
【請求項９】
上記記録制御手段が画像データに属性情報として付加する上記順位情報または削減情報を変更する変更手段をさらに具備したことを特徴とする請求項８記載の撮像装置。
【請求項１０】
上記削減制御手段は、上記決定手段で決定した削減処理を実行する前に、削減処理の対象となる画像データ及び削減処理の内容の確認を促し、確認がなされた時点で削減処理を実行することを特徴とする請求項１乃至９のいずれかに記載の撮像装置。
【請求項１１】
上記削減制御手段は、上記処理選択手段で上記記録手段以外の媒体への転送を選択した場合に、画像データに付加された属性情報に基づいて転送先の媒体側での保存フォルダを指定することを特徴とする請求項４記載の撮像装置。
【請求項１２】
上記記録制御手段が画像データに付加する属性情報のうちの１つは、記録する画像データの画像中から検出される顔の大きさに関する情報であり、
上記決定手段は、属性情報の１つに画像中から検出される顔の大きさに関する情報を用いて処理対象とする順序を決定し、
上記削減制御手段は、上記決定手段で上記記録手段以外の媒体への転送を選択した場合に、画像データに付加された属性情報中の顔の大きさに関する情報に基づいて転送先の媒体側での保存フォルダを指定する
ことを特徴とする請求項１１記載の撮像装置。
【請求項１３】
画像データを取得する取得部と、画像データを記録する記録部とを備えた撮像装置の記録制御方法であって、
上記撮像装置のコンピュータに、
上記取得部で得た各々の画像データに対して撮影時の状況に応じた属性情報が付加された画像データを上記記録部に記録する記録制御工程と、
上記記録手段に記録された複数の画像データの各々に付加されている属性情報に基づいて、これら複数の画像データに対してデータ量を削減する削減処理を施す順序と、各画像データに施す削減処理の種類の両方を決定する決定工程と、
上記記録部に記録された複数の画像データに対する削減処理の必要性を判断する判断工程と、
上記判断工程により削減処理が必要であると判断される毎に、上記決定工程で決定した順序に従って上記決定工程で決定した種類の削減処理を施していく削減制御工程と
を実行させることを特徴とする記録制御方法。
【請求項１４】
画像データを取得する取得部と、画像データを記録する記録部とを備えた撮像装置が内蔵するコンピュータが実行するプログラムであって、
上記取得部で得た各々の画像データに対して撮影時の状況に応じた属性情報が付加された画像データを上記記録部に記録する記録制御ステップと、
上記記録手段に記録された複数の画像データの各々に付加されている属性情報に基づいて、これら複数の画像データに対してデータ量を削減する削減処理を施す順序と、各画像データに施す削減処理の種類の両方を決定する順序決定ステップと、
上記記録部に記録された複数の画像データに対する削減処理の必要性を判断する判断ステップと、
上記判断ステップにより削減処理が必要であると判断される毎に、上記決定ステップで決定した順序に従って上記決定ステップで決定した種類の削減処理を施していく削減制御ステップと
をコンピュータに実行させることを特徴とするプログラム。
【手続補正２】
【補正対象書類名】明細書
【補正対象項目名】０００６
【補正方法】変更
【補正の内容】
【０００６】
請求項１記載の発明は、被写体像を撮影する撮像手段と、画像データを記録する記録手段と、上記撮像手段で得た各々の画像データに対して撮影時の状況に応じた属性情報を付加して上記記録手段に記録する記録制御手段と、上記記録手段に記録された複数の画像データの各々に付加されている属性情報に基づいて、これら複数の画像データに対してデータ量を削減する削減処理を施す順序と、各画像データに施す削減処理の種類の両方を決定する決定手段と、上記記録手段に記録された複数の画像データに対する削減処理の必要性を判断する判断手段と、上記判断手段により削減処理が必要であると判断される毎に、上記決定手段で決定した順序に従って上記決定手段で決定した種類の削減処理を施していく削減制御手段とを具備したことを特徴とする。
【手続補正３】
【補正対象書類名】明細書
【補正対象項目名】０００７
【補正方法】変更
【補正の内容】
【０００７】
請求項２記載の発明は、更に、上記決定手段は、画像データに対する少なくとも部分的な削除に関する度合が異なる複数種類の削減処理の中から各画像データに施す削減処理を選択することを特徴とする。
【手続補正４】
【補正対象書類名】明細書
【補正対象項目名】０００８
【補正方法】変更
【補正の内容】
【０００８】
請求項３記載の発明は、更に、上記記録制御手段は、上記撮像手段で得た画像データを撮影時の状況に応じた複数の属性情報を付加して上記記録手段に記録し、上記決定手段は、上記記録手段に記録された複数の画像データの各々に付加されている複数の属性情報に基づいて、これら複数の画像データに対してデータ量を削減する削減処理を施す順序と、各画像データに施す削減処理の種類の両方を決定することを特徴とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
請求項４記載の発明は、更に、上記複数種類の削減処理は、画像データに対する、圧縮率を変えてのデータ圧縮、画像サイズの変更、空間周波数の高周波成分の除去、画像データ自体の削除、及び上記記録手段以外の媒体への転送のうち、少なくとも２つを含むことを特徴とする。
【手続補正７】
【補正対象書類名】明細書
【補正対象項目名】００１１
【補正方法】変更
【補正の内容】
【００１１】
請求項５記載の発明は、更に、上記記録制御手段が画像データに付加する複数の属性情報は、記録する画像データの構成画素数、画質、感度、手振れ量、画像中から検出される顔の大きさのうち、少なくとも２つを含むことを特徴とする。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
請求項６記載の発明は、更に、上記決定手段は、複数の属性情報の１つに上記画像データの感度が含まれる場合に、所定の感度以上の画像データに対して空間周波数の高周波成分の除去を削減処理として選択することを特徴とする。
【手続補正１０】
【補正対象書類名】明細書
【補正対象項目名】００１４
【補正方法】変更
【補正の内容】
【００１４】
請求項７記載の発明は、更に、上記決定手段は、上記記録手段以外の媒体への転送の可否を判断し、可であると判断した場合に上記記録手段以外の媒体への転送を削減処理の選択肢の１つに加えることを特徴とする。
【手続補正１１】
【補正対象書類名】明細書
【補正対象項目名】００１５
【補正方法】変更
【補正の内容】
【００１５】
請求項８記載の発明は、更に、上記記録制御手段は、撮影時の状況に応じた複数の属性情報に加えて、上記決定手段で決定する順位を示す順位情報、または削減処理の種類を示す削減情報を属性情報として画像データに付加して記録すること特徴とする。
【手続補正１２】
【補正対象書類名】明細書
【補正対象項目名】００１６
【補正方法】変更
【補正の内容】
【００１６】
請求項９記載の発明は、更に、上記記録制御手段が画像データに属性情報として付加する上記順位情報または削減情報を変更する変更手段をさらに具備したことを特徴とする。
【手続補正１３】
【補正対象書類名】明細書
【補正対象項目名】００１７
【補正方法】変更
【補正の内容】
【００１７】
請求項１０記載の発明は、更に、上記削減制御手段は、上記決定手段で決定した削減処理を実行する前に、削減処理の対象となる画像データ及び削減処理の内容の確認を促し、確認がなされた時点で削減処理を実行することを特徴とする。
【手続補正１４】
【補正対象書類名】明細書
【補正対象項目名】００１８
【補正方法】変更
【補正の内容】
【００１８】
請求項１１記載の発明は、更に、上記削減制御手段は、上記処理選択手段で上記記録手段以外の媒体への転送を選択した場合に、画像データに付加された属性情報に基づいて転送先の媒体側での保存フォルダを指定することを特徴とする。
【手続補正１５】
【補正対象書類名】明細書
【補正対象項目名】００１９
【補正方法】変更
【補正の内容】
【００１９】
請求項１２記載の発明は、更に、上記記録制御手段が画像データに付加する属性情報のうちの１つは、記録する画像データの画像中から検出される顔の大きさに関する情報であり、上記決定手段は、属性情報の１つに画像中から検出される顔の大きさに関する情報を用いて処理対象とする順序を決定し、上記削減制御手段は、上記決定手段で上記記録手段以外の媒体への転送を選択した場合に、画像データに付加された属性情報中の顔の大きさに関する情報に基づいて転送先の媒体側での保存フォルダを指定することを特徴とする。
【手続補正１６】
【補正対象書類名】明細書
【補正対象項目名】００２０
【補正方法】変更
【補正の内容】
【００２０】
請求項１３記載の発明は、画像データを取得する取得部と、画像データを記録する記録部とを備えた撮像装置の記録制御方法であって、上記撮像装置のコンピュータに、上記取得部で得た各々の画像データに対して撮影時の状況に応じた属性情報が付加された画像データを上記記録部に記録する記録制御工程と、上記記録手段に記録された複数の画像データの各々に付加されている属性情報に基づいて、これら複数の画像データに対してデータ量を削減する削減処理を施す順序と、各画像データに施す削減処理の種類の両方を決定する決定工程と、上記記録部に記録された複数の画像データに対する削減処理の必要性を判断する判断工程と、上記判断工程により削減処理が必要であると判断される毎に、上記決定工程で決定した順序に従って上記決定工程で決定した種類の削減処理を施していく削減制御工程とを実行させることを特徴とする。
【手続補正１７】
【補正対象書類名】明細書
【補正対象項目名】００２１
【補正方法】変更
【補正の内容】
【００２１】
請求項１４記載の発明は、画像データを取得する取得部と、画像データを記録する記録部とを備えた撮像装置が内蔵するコンピュータが実行するプログラムであって、上記取得部で得た各々の画像データに対して撮影時の状況に応じた属性情報が付加された画像データを上記記録部に記録する記録制御ステップと、上記記録手段に記録された複数の画像データの各々に付加されている属性情報に基づいて、これら複数の画像データに対してデータ量を削減する削減処理を施す順序と、各画像データに施す削減処理の種類の両方を決定する順序決定ステップと、上記記録部に記録された複数の画像データに対する削減処理の必要性を判断する判断ステップと、上記判断ステップにより削減処理が必要であると判断される毎に、上記決定ステップで決定した順序に従って上記決定ステップで決定した種類の削減処理を施していく削減制御ステップとをコンピュータに実行させることを特徴とする。